(57)【要約】【課題】厨房等で使用され、キャビネット本体の下側に照明装置と収納体とを備えるウォールキャビネットを提供する。【構成】キャビネット本体を備えて背面が壁面に取付けられるウォールキャビネットであって、前記キャビネット本体の下側の前側に前面板と下面板を備える収納体を設け、前記収納体に隣接して壁側に照明装置を設けてなる構造であって、前記下面板の後端に収納体回動軸を設け、前記収納体回動軸を回動中心として、前記収納体全体が回動自在であり、前記収納体を上方に回動して前記前面板を前記キャビネット本体に接触させるようにして前記収納体を閉じた状態では、前記照明装置の投光部の下端は前記収納体の下端よりも低い位置にあって、前記投光部の前面及び下面から光が投光され、前記収納体を下方に回動して前記下面板を垂下させて前記収納体を開いた状態では、前記投光部の下面から光が投光される。【選択図】  図２
2004321319.tif 000002
【特許請求の範囲】
【請求項１】
キャビネット本体を備えて背面が壁面に取付けられるウォールキャビネットであって、前記キャビネット本体の下側の前側に前面板と下面板を備える収納体を設けてなり、前記収納体に隣接して壁側に照明装置を設けてなる構造であって、
前記下面板の後端に収納体回動軸を設け、前記収納体回動軸を回動中心として、前記収納体全体が回動自在であり、
前記収納体を上方に回動して前記前面板を前記キャビネット本体に接触させるようにして前記収納体を閉じた状態では、前記照明装置の投光部の下端は前記収納体の下端よりも低い位置にあって、前記投光部の前面及び下面から光が投光され、
前記収納体を下方に回動して前記下面板を垂下させて前記収納体を開いた状態では、前記投光部の下面から光が投光されるものであることを特徴とするウォールキャビネット。
【請求項２】
前記収納体を開いた状態では、前記投光部の前面からの光が、前記収納体回動軸と前記キャビネット本体の下端面との間の空間を通過して前方へ投光されるものであることを特徴とする請求項１記載のウォールキャビネット。
【請求項３】
前記収納体の下面板に開口窓を設けてなり、前記収納体を開いた状態では、前記投光部の前面からの光が、前記開口窓を通過して前方へ投光されるものであることを特徴とする請求項１又は請求項２記載のウォールキャビネット。
【請求項４】
前記収納体回動軸の部分において、前記収納体が前記キャビネット本体に対して着脱自在であることを特徴とする請求項１乃至請求項３のいずれかに記載のウォールキャビネット。
【請求項５】
前記収納体回動軸の部分において、前記収納体が前記収納体回動軸に沿ってスライド自在であることを特徴とする請求項１乃至請求項４のいずれかにのウォールキャビネット。
【請求項６】
前記収納体を閉じた状態で、前記収納体の下面板は、前側が低くなるように傾斜していることを特徴とする請求項１乃至請求項５のいずれかに記載のウォールキャビネット。
【発明の詳細な説明】
【０００１】
【発明の属する技術分野】
本発明は、厨房等の壁面に取付けられるウォールキャビネットに関するものである。
【０００２】
【従来の技術】
台所や厨房等の壁面に取付けられるウォールキャビネットのキャビネット本体の下側に、照明装置を取付けて、下方にある調理台を照明することが通常に行われている。このようなウォールキャビネットが、実開平４−２７８４２号公報や特開平５−８１９０６号公報に開示されている。この照明装置は、照明の対象である調理台までの距離が短いので、天井に照明装置を取付けた場合と比べると、小ワットの照明装置で作業者の手元を明るくすることができる。
【０００３】
一方、このようなキャビネット本体の下側に収納体を取付けて、この収納体に食器や調味料等の調理用備品を収納しておくことも実施されている。例えば、特開２００２−４５２４７号公報には、この種の収納体の一例が開示されている。このような収納体は、作業者にとって比較的近い場所にあるので、キャビネット本体に収納するよりも、備品を取り出し易いという特徴を有している。
【０００４】
【実用新案文献１】
実開平４−２７８４２号公報（第５−７頁、図１）
【０００５】
【特許文献１】
特開平５−８１９０６号公報（第２−４頁、図１）
【０００６】
【特許文献２】
特開２００２−４５２４７号公報（第２−３頁、図１）
【０００７】
【発明が解決しようとする課題】
ここで、上述した照明装置と収納体とは、いすれも、作業を行うことの多い場所（通常は、調理台の中央部分）の上方に配置されていることが作業者にとって望ましい。しかしながら、実開平４−２７８４２号公報や特開平５−８１９０６号公報に開示されている照明装置は、取付け面積が比較的大きいために、このものの前側に収納体をさらに付設することは容易ではなかった。さらに、照明装置の前側に収納体を取り付けた場合には、照明装置からの前方への投光が、収納体が障害となって遮られてしまう構造になっていた。
【０００８】
本発明は、かかる事由に鑑みてなしたもので、その目的とするところは、厨房等で使用され、キャビネット本体の下側に照明装置と収納体とを備えるウォールキャビネットを提供することにある。
【０００９】
【課題を解決するための手段】
請求項１に係る発明は、キャビネット本体を備えて背面が壁面に取付けられるウォールキャビネットであって、前記キャビネット本体の下側の前側に前面板と下面板を備える収納体を設けてなり、前記収納体に隣接して壁側に照明装置を設けてなる構造であって、前記下面板の後端に収納体回動軸を設け、前記収納体回動軸を回動中心として、前記収納体全体が回動自在であり、前記収納体を上方に回動して前記前面板を前記キャビネット本体に接触させるようにして前記収納体を閉じた状態では、前記照明装置の投光部の下端は前記収納体の下端よりも低い位置にあって、前記投光部の前面及び下面から光が投光され、前記収納体を下方に回動して前記下面板を垂下させて前記収納体を開いた状態では、前記投光部の下面から光が投光されるものであることを特徴としている。
【００１０】
請求項２に係る発明は、請求項１の構成において、前記収納体を開いた状態では、前記投光部の前面からの光が、前記収納体回動軸と前記キャビネット本体の下端面との間の空間を通過して前方へ投光されるものであることを特徴としている。
【００１１】
請求項３に係る発明は、請求項１又は請求項２の構成において、前記収納体の下面板に開口窓を設けてなり、前記収納体を開いた状態では、前記投光部の前面からの光が、前記開口窓を通過して前方へ投光されるものであることを特徴としている。
【００１２】
請求項４に係る発明は、請求項１乃至請求項３のいずれかの構成において、前記収納体回動軸の部分において、前記収納体が前記キャビネット本体に対して着脱自在であることを特徴としている。
【００１３】
請求項５に係る発明は、請求項１乃至請求項４のいずれかの構成において、前記収納体回動軸の部分において、前記収納体が前記収納体回動軸に沿ってスライド自在であることを特徴としている。
【００１４】
請求項６に係る発明は、請求項１乃至請求項５のいずれかの構成において、前記収納体を閉じた状態で、前記収納体の下面板は、前側が低くなるように傾斜していることを特徴としている。
【００１５】
【発明の実施の形態】
本発明の実施形態を図１〜４に基づいて説明する。図１は、厨房全体の前面図であり、調理台２０の上方の壁面に、キャビネット本体１を有するウォールキャビネットが取付けられている。図２は、照明装置の投光部２と収納体１０とを示す側面図で、図２（ａ）は、収納体１０を閉じた状態、図２（ｂ）は、収納体１０を開いた状態を示している。投光部２は、キャビネット本体１の下側の壁側に取付けられている。投光部２の断面形状は略矩形している。ただし、図２（ｂ）に示すように、収納体１０を開いた状態で、このものの前面の下端が、収納体１０と接触して係合するように、突起片３が形成されている。
【００１６】
収納体１０は、木製の平板からなる前面板１１及び下面板１２とが直角に組み合わされた物を主要部として構成されている。図２（ａ）に示すように、収納体１０が閉じた状態で、前面板１１が前側に、下面板１２が下側に配置される構造になっている。図２に示す例では、前面板１１及び下面板１２に、枠体１３が取付けられて、調理用備品である調味料の容器等を保持できる構造となっている。収納体１０としては、この例以外にも、図１に示すように、食器や布巾等が取付けられる構造になっているものもある。図３に示すように、下面板１２の壁側の先端には、収納体回動軸１４が取付けられている。このものは、断面形状が略円形の細長い棒状の構造をしている。また、回動軸受部１５は、断面形状が略Ｕ字形の細長い棒状の構造をしていて、照明装置の投光部２の側面に取り付けられている。収納体回動軸１４と回動軸受部１５とが係合することで、収納体１０を支持するとともに、ヒンジ状に回動可能な構造となっている。ただし、回動軸受部１５は、キャビネット本体１の下端面に吊り下げられる構造であってもよい。また、キャビネット本体１の下端面の収納体１０がある部分には、上面板１６が取付けられている。このものの前側の先端部が、前面板１１の先端部と係合することによって、収納体１０を閉じた状態に保持する機能を有している。この係合の構造としては、一方に凹部を設け他方に凸部を設けて両者を嵌合させる構造や、一方に鉄板を設け他方に磁石を設けて両者の吸引力を用いる構造がある。また、収納体回動軸１４及び回動軸受部１５と上面板１６との間は、投光部２からの光が通過できる空間である光通過部４となっている。ただし、前面視では、図４（ａ）、（ｂ）に示すように、この部分の周辺には、フレーム部１７が配設されている。
【００１７】
以下に、このウォールキャビネットの取り扱いについて説明する。図４（ａ）に示すように、収納体１０が収納された状態で、前面視では前面板１１のみが見える構造になっている。また、このとき、図２（ａ）に示すように、下面板１２は、キャビネット本体１の下方に配置されて、前側が低くなるように傾斜した状態で、調理用備品を保持している。この状態では、投光部２の下端は収納体１０の下端よりも低い位置にあり、前面視で投光部２の略下半分が見えるようになっている。このために、照明装置のスイッチをＯＮして、照明を点灯させると、図２（ａ）に示すように、下方であるＡ方向に投光されるとともに、Ｂ方向から前方にも投光されることにより、作業者の手元を明るくする。
【００１８】
次に、収納体１０の一部を把持して、下方に引くことによって、上面板１６と前面板１１との係合が外れて、収納体回動軸１４を中心として収納体１０は回動する。そして、最終的には、図２（ｂ）に示すように、下面板１２は、突起片３に接触して、下面板１２が垂直になり、前面板が水平となった状態になる。このとき、図４（ｂ）に示すように、前面視では、枠体１３が見えるようになり、調理用備品を自由に取り出せる状態になる。また、このときに、照明装置のスイッチをＯＮして照明を点灯させると、図２（ｂ）に示すように、下方であるＡ方向が投光されるとともに、光通過部４を通してＣ方向から前方にも投光されることにより、作業者の手元を明るくする。
【００１９】
さらに、収納体１０の収納体回動軸１４は、回動軸受部１５に対して着脱自在の構造となっている。つまり、収納体１０を開いた状態で、これを把持して、上方に引き上げれば、収納体回動軸１４は、回動軸受部１５から取外し可能な構造となっている。また、収納体回動軸１４は、回動軸受部１５に対して、スライド自由な構造にもなっている。つまり、収納体１０を開いた状態で、これを把持して、横側に引張れば、収納体回動軸１４は、回動軸受部１５上に沿って移動できる構造となっている。したがって、図１に示すような複数の収納体１０を有するウォールキャビネットでは、この構造を用いることにより、収納体１０の配置を自由に変化させることができる。
【００２０】
以上説明したように、本発明に係るウォールキャビネットは、収納体を閉じた状態でも、開いた状態でも、照明装置のスイッチをＯＮして、照明を点灯させると、下方とともに前方にも投光される。したがって、この厨房の作業者は、この照明により手元を明るくすることができる。さらに、この収納体と投光部は、キャビネット本体のどの部分の下側にも配置できる構造となっているので、作業者が作業を行うことの多い場所（通常は、調理台の中央部分）の上方に配置することができる。こうすることにより、作業者にとって近い場所に収納体があることになるので、収納体内部にある備品が取り出し易い。また、投光部がから作業が行われる調理台までの距離が短くなり、天井に取付ける照明と比べて、小ワットの照明装置で作業者の手元を明るくすることができる。
【００２１】
なお、光通過部４を設けることなく、収納体回動軸１４及び回動軸受部１５と上面板１６との間は、投光部２からの光が通過できないように閉鎖されている構造であって、収納体が閉じられている状態では、投光部からの光は下方（図２ではＡの方向）にしか、投光されない。このために、本実施形態に比べると作業者の手元に投光される光束量は低下するものの、投光部の下端は収納体の下端よりも低い位置にあるので、ある程度の明るさは確保できる構造になっている。
【００２２】
一方、下面板１２に開口窓を設けて、収納体１０を開いた状態では、投光部２の前面からの光が開口窓を通過して前方へ投光されるようにすることにより、収納体１０を開いた状態で、前方をさらに明るくすることででき、照明をより低ワット化することが可能となる。
【００２３】
【発明の効果】
請求項１に係る発明は、キャビネット本体を備えて背面が壁面に取付けられるウォールキャビネットであって、前記キャビネット本体の下側の前側に前面板と下面板を備える収納体を設けてなり、前記収納体に隣接して壁側に照明装置を設けてなる構造であって、前記下面板の後端に収納体回動軸を設け、前記収納体回動軸を回動中心として、前記収納体全体が回動自在であり、前記収納体を上方に回動して前記前面板を前記キャビネット本体に接触させるようにして前記収納体を閉じた状態では、前記照明装置の投光部の下端は前記収納体の下端よりも低い位置にあって、前記投光部の前面及び下面から光が投光され、前記収納体を下方に回動して前記下面板を垂下させて前記収納体を開いた状態では、前記投光部の下面から光が投光されるものであることを特徴としているので、収納体と照明装置とをキャビネット本体の下端面の幅方向で前後に設置することができ、作業者にとって近い場所に収納体を設置することができ、照明装置を小ワットとすることができる。
【００２４】
請求項２に係る発明は、請求項１の構成において、前記収納体を開いた状態では、前記投光部の前面からの光が、前記収納体回動軸と前記キャビネット本体の下端面との間の空間を通過して前方へ投光されるものであることを特徴としているので、請求項１の効果に加え、前記収納体を開いた状態でも前方を明るくすることででき、照明を低ワット化することが可能となる。
【００２５】
請求項３に係る発明は、請求項１又は請求項２の構成において、前記収納体の下面板に開口窓を設けてなり、前記収納体を開いた状態では、前記投光部の前面からの光が、前記開口窓を通過して前方へ投光されるものであることを特徴としているので、請求項１又は請求項２の効果に加え、前記収納体を開いた状態でも前方をさらに明るくすることができ、照明をより低ワット化することが可能となる。
【００２６】
請求項４に係る発明は、請求項１乃至請求項３のいずれかの構成において、前記収納体回動軸の部分において、前記収納体が前記キャビネット本体に対して着脱自在であることを特徴としているので、請求項１乃至請求項３のいずれかの効果に加え、複数の収納体を自由に配置するとともに、必要に応じて収納体を取り外した状態で使用することができる。
【００２７】
請求項５に係る発明は、請求項１乃至請求項４のいずれかの構成において、前記収納体回動軸の部分において、前記収納体が前記収納体回動軸に沿ってスライド自在であることを特徴としているので、請求項１又は請求項２記載の効果に加えて、複数の収納体を自由に配置することができるとともに、隣接する場所への収納体の移動が容易である。
【００２８】
請求項６に係る発明は、請求項１乃至請求項５のいずれかの構成において、前記収納体を閉じた状態で、前記収納体の下面板は、前側が低くなるように傾斜していることを特徴としているで、請求項１乃至請求項５のいずれかに記載の効果に加えて、収納体の取付けが容易になるとともに、実質的な収納体の容積を大きくすることができる。
【図面の簡単な説明】
【図１】実施形態に係るウォールキャビネットを備えた厨房の前面図である。
【図２】実施形態に係るウォールキャビネットの収納体の側面図である。
【図３】実施形態に係る収納体回動軸と回動軸受部との関係を示す側面図である。
【図４】実施形態に係るウォールキャビネットの収納体の前面図である。
【符号の説明】
１              キャビネット本体
２              照明装置
３              係止突起
４              光通過部
１０            収納体
１１            前面板
１２            下面板
１３            枠体
１４            収納体回動軸
１５            回動軸受部
１６            上面板
１７            フレーム部
２０            調理台
Ａ、Ｂ、Ｃ      光の照射方向
【図１】
2004321319.tif 000003
【図２】
2004321319.tif 000004
【図３】
2004321319.tif 000005
【図４】
2004321319.tif 000006